(57)【要約】【課題】  プロジェクタを移動した場合でも、ユーザに多大な負担を与えることなく、その設置環境に適するように、プロジェクタの動作設定を行うことを可能にする。【解決手段】  ＩＣタグ２００は、設置環境に適した各種設定パラメータを記憶しているＩＣチップ２０２と、プロジェクタ１００との間で通信を行うためのアンテナ２０４と、を備えており、プロジェクタ１００の設置が予定されている設置場所の近くに取り付けられている。プロジェクタ１００は、アンテナ１２４と、そのアンテナ１２４を介してＩＣタグ２００との間で通信を行うためのトランシーバ１２６と、設定パラメータを一時的に格納するためのＲＡＭ１０３と、を備えており、可搬性を有している。プロジェクタ１００を上記設置場所に設置して、電源が投入されると、自動的に、ＩＣタグ２００からプロジェクタ１００に各種設定パラメータが取り込まれ、プロジェクタ１００内でそれら設定パラメータに応じた動作設定が行われる。【選択図】  図１
2005164930.tif 000002
【特許請求の範囲】
【請求項１】
所定の位置に取り付けられたＩＣタグと、移動可能なプロジェクタと、を備え、該プロジェクタの動作設定を行うプロジェクタ設定システムであって、
前記ＩＣタグは、
前記動作設定を行う際に用いる設定パラメータを記憶しているＩＣチップと、
前記プロジェクタとの間で通信を行うための第１のアンテナと、
を備えると共に、
前記プロジェクタは、
前記ＩＣタグとの間で通信を行うための第２のアンテナと、
前記設定パラメータを格納することが可能なメモリと、
を備え、
前記プロジェクタが、前記ＩＣタグとの間での通信可能な範囲に入り、前記第２のアンテナを介して前記ＩＣタグにアクセスした場合に、前記ＩＣタグは、前記ＩＣチップから前記設定パラメータを読み出して、前記第１のアンテナを介して送信し、前記プロジェクタは、送信された前記設定パラメータを前記第２のアンテナを介して受信して、前記メモリに格納し、格納された前記設定パラメータに基づいて、前記動作設定を行うことを特徴とするプロジェクタ設定システム。
【請求項２】
請求項１に記載のプロジェクタ設定システムにおいて、
前記設定パラメータは、ズーム比，絞り，横キーストーン補正量，縦キーストーン補正量，γ補正量，色の濃さ，色合い，シャープネス，輝度，コントラスト，カラーモード，スクリーンまでの距離，及びスクリーンサイズのうち、少なくとも１つを含むことを特徴とするプロジェクタ設定システム。
【請求項３】
請求項１または請求項２に記載のプロジェクタ設定システムにおいて、
前記プロジェクタは、前記設定パラメータに基づいて、前記動作設定を行おうとしても、該動作設定を行うことができない場合に、ユーザにその旨を報知することを特徴とするプロジェクタ設定システム。
【請求項４】
移動可能なプロジェクタであって、
ＩＣタグとの間で通信を行うためのアンテナと、
動作設定を行う際に用いる設定パラメータを格納することが可能なメモリと、
を備え、
前記ＩＣタグとの間での通信可能な範囲に入った場合に、前記アンテナを介して前記ＩＣタグにアクセスし、その後、前記ＩＣタグから前記設定バラメータが送信されてきた場合に、前記設定パラメータを前記アンテナを介して受信して、前記メモリに格納し、格納された前記パラメータに基づいて、前記動作設定を行うことを特徴とするプロジェクタ。
【請求項５】
請求項４に記載のプロジェクタにおいて、
前記設定パラメータは、ズーム比，絞り，横キーストーン補正量，縦キーストーン補正量，γ補正量，色の濃さ，色合い，シャープネス，輝度，コントラスト，カラーモード，スクリーンまでの距離，及びスクリーンサイズのうち、少なくとも１つを含むことを特徴とするプロジェクタ。
【請求項６】
請求項４または請求項５に記載のプロジェクタにおいて、
前記設定パラメータに基づいて、前記動作設定を行おうとしても、該動作設定を行うことができない場合に、ユーザにその旨を報知することを特徴とするプロジェクタ。
【発明の詳細な説明】
【技術分野】
【０００１】
本発明は、ＩＣタグを用いて、移動可能なプロジェクタの動作設定を行うための技術に関するものである。
【背景技術】
【０００２】
スクリーン上に画像を投写して表示するプロジェクタには、天井吊り下げ式のように、所定の位置に固定されるものもあるが、可搬性を有し、様々な場所へ移動可能なものもある。
【０００３】
このような移動可能なプロジェクタの場合、様々な場所で用いられるが、プロジェクタの設置環境は、その場所毎に異なることになる。例えば、室内で用いる場合、部屋毎に、スクリーンの位置が異なっていたり、照明の明るさが異なっていたり、電源の取れる場所が異なっていたり、設置可能な場所が異なっていたりする。また、同じ部屋の中であっても、プロジェクタを設置する位置によって、スクリーンに対する相対的な位置なども異なることになる。
【０００４】
従って、このようにプロジェクタを様々な場所で用いる場合、その場所毎に、プロジェクタにおける、あおり角度や、キーストーン補正量や、フット高さや、フォーカスや、ズーム比や、絞りなどを、その設置環境に合うように設定する必要があった。
【０００５】
このような場合、従来においては、例えば、下記の特許文献１に開示されているように、プロジェクタによってスクリーン上にメニュー画面を表示させ、ユーザがそれを見ながら、リモコンを操作して、各種設定パラメータを入力し、プロジェクタの動作設定を行うようにしていた。
【０００６】
【特許文献１】特開２００２−１４９１４４号公報
【発明の開示】
【発明が解決しようとする課題】
【０００７】
しかしながら、上記従来技術においては、プロジェクタを様々な場所に移動して用いる場合、場所毎に、ユーザが手作業で各種設定パラメータを入力して、プロジェクタの動作設定を行う必要があるため、非常に手間と時間がかかり、ユーザに多大な負担を与えるという問題があった。
【０００８】
従って、本発明の目的は、上記した従来技術の問題点を解決し、プロジェクタを移動した場合でも、ユーザに多大な負担を与えることなく、その設置環境に適するように、プロジェクタの動作設定を行うことが可能な技術を提供することにある。
【課題を解決するための手段】
【０００９】
上記した目的の少なくとも一部を達成するために、本発明のプロジェクタ設定システムは、所定の位置に取り付けられたＩＣタグと、移動可能なプロジェクタと、を備え、該プロジェクタの動作設定を行うプロジェクタ設定システムであって、
前記ＩＣタグは、前記動作設定を行う際に用いる設定パラメータを記憶しているＩＣチップと、前記プロジェクタとの間で通信を行うための第１のアンテナと、を備えると共に、
前記プロジェクタは、前記ＩＣタグとの間で通信を行うための第２のアンテナと、
前記設定パラメータを格納することが可能なメモリと、を備え、
前記プロジェクタが、前記ＩＣタグとの間での通信可能な範囲に入り、前記第２のアンテナを介して前記ＩＣタグにアクセスした場合に、前記ＩＣタグは、前記ＩＣチップから前記設定パラメータを読み出して、前記第１のアンテナを介して送信し、前記プロジェクタは、送信された前記設定パラメータを前記第２のアンテナを介して受信して、前記メモリに格納し、格納された前記設定パラメータに基づいて、前記動作設定を行うことを要旨とする。
【００１０】
このように、本発明のプロジェクタ設定システムでは、例えば、ユーザがプロジェクタを設置した際に、そのプロジェクタがＩＣタグとの間での通信可能な範囲に入っていれば、自動的に、ＩＣタグからプロジェクタに設定パラメータが取り込まれ、プロジェクタで、それら設定パラメータに応じた動作設定が行われる。
【００１１】
従って、本発明のプロジェクタ設定システムによれば、ユーザは、何ら手間や時間をかけることなく、プロジェクタの動作設定を行うことができるので、ユーザの負担を大幅に軽減することができる。
【００１２】
しかも、ＩＣタグのＩＣチップに、設定パラメータとして、その設置環境に適したパラメータを記憶するようにしておけば、その設置環境に適するように、プロジェクタの動作設定を行うことができる。
【００１３】
なお、本発明は、上記したプロジェクタ設定システムなどの態様に限ることなく、プロジェクタ自体としての態様で実現することも可能である。あるいは、このような装置発明としての態様に限ることなく、プロジェクタ設定方法などの方法発明としての態様で実現することも可能である。
【発明を実施するための最良の形態】
【００１４】
以下、本発明の実施の形態を実施例に基づいて以下の順序で説明する。
Ａ．実施例の構成：
Ｂ．実施例の動作：
Ｂ−１．ＩＣタグの取り付け：
Ｂ−２．プロジェクタの動作設定：
Ｂ−３．設定パラメータの書き込み：
Ｃ．実施例の効果：
Ｄ．変形例：
【００１５】
Ａ．実施例の構成：
図１は本発明の一実施例としてのプロジェクタ設定システムの構成を示すブロック図である。本実施例のプロジェクタ設定システムは、プロジェクタ１００と、ＩＣタグ２００と、を備えており、設置環境に合うように、プロジェクタ１００の動作設定を自動的に行うものである。
【００１６】
図１において、プロジェクタ１００は、可搬性を有しており、ユーザが持ち運ぶことによって、様々な場所へ移動可能である。そして、プロジェクタ１００は、ユーザによって所望の設置場所に設置されると、外部から画像信号を入力して、スクリーン５００上に、その画像信号に対応した画像５０２を拡大して表示することが可能である。
【００１７】
かかるプロジェクタ１００は、プログラムに従って種々の処理や制御を行なうＣＰＵ１０２と、プログラムをロードしたり、設定パラメータなどのデータを一時的に格納したりするためのＲＡＭ１０３と、ファームウェアを格納したり、初期データを格納したりするためのＲＯＭ１０４と、外部から入力された画像信号に種々の画像処理を施す画像処理回路１０６と、光変調装置１０８と、その光変調装置１０８を駆動する光変調装置駆動回路１１０と、照明光学系１１２と、その照明光学系１１２内の光源ランプ（図示せず）を駆動するランプ駆動回路１１４と、投写レンズ１１６と、複数のモータを備えるモータ群１１８と、それらモータを駆動するモータ駆動回路１２０と、ＵＳＢケーブルを介して外部のコンピュータ（図示せず）などと接続し、それらとの間でデータのやり取りを行うUSBインターフェイス回路部１２２と、アンテナ１２４と、そのアンテナ１２４を介してＩＣタグ２００との間で通信を行うためのトランシーバ１２６と、を備えている。これらのうち、ＣＰＵ１０２，ＲＡＭ１０３，ＲＯＭ１０４，画像処理回路１０６，光変調装置駆動回路１１０，ランプ駆動回路１１４，モータ駆動回路１２０，USBインターフェイス回路部１２２，およびトランシーバ１２６は、互いにバスを介して接続されている。
【００１８】
一方、ＩＣタグ２００は、プロジェクタ１００が用いられる所望の場所に取り付けられており、プロジェクタ１００との間で通信を行って、プロジェクタ１００に、記憶している設定パラメータを伝達することが可能である。かかるＩＣタグ２００は、設定パラメータなどのデータを記憶することが可能なＩＣチップ２０２と、プロジェクタ１００との間で通信を行うためのアンテナ２０４と、を備えている。
【００１９】
Ｂ．実施例の動作：
Ｂ−１．ＩＣタグの取り付け：
図２は図１のプロジェクタ１００が用いられる或る部屋の様子を、上方から見て模式的に示した説明図である。この部屋には、正面の壁面にスクリーン５００が取り付けられており、スクリーン５００の前には、プロジェクタ１００を設置することが可能な複数の机４００Ａ〜４００Ｆが配置されている。
【００２０】
これら机のうち、机４００Ａ，４００Ｂ，４００Ｃおよび４００Ｅには、それぞれ、その表面に設置位置マーク３００が付いている。かかる設置位置マーク３００は、プロジェクタ１００を設置する際の設置位置の目印となるものであり、鉤状を成す４つのマークでできている。これらの設置位置マーク３００は、塗料などで描かれていてもよいし、シールなどで貼り付けられていてもよいし、机の表面に凹部を設けて埋め込まれていてもよい。
【００２１】
また、それら机４００Ａ，４００Ｂ，４００Ｃおよび４００Ｅには、それぞれ、設置位置マーク３００によって囲まれた中央の部分に、ＩＣタグ２００が取り付けられている。かかるＩＣタグ２００は、机の表面に貼り付けられていてもよいし、机の表面に凹部を設けて埋め込まれていてもよいし、あるいは、机の裏面に貼り付けられていてもよい。
【００２２】
また、取り付けられたＩＣタグ２００のＩＣチップ２０２には、それぞれ、既に、プロジェクタ１００用として、各設置位置における設置環境に適した各種設定パラメータが記憶されているものとする。なお、このような設定パラメータをＩＣタグ２００のＩＣチップ２０２に書き込む方法については、後ほど詳しく説明する。
【００２３】
Ｂ−２．プロジェクタの動作設定：
以上のような部屋に、まず、ユーザ６００が、プロジェクタ１００を持ち運んで、例えば、机４００Ｂの上に、設置位置マーク３００を目印として、その設置位置マーク３００に合うように、プロジェクタ１００を設置する。この結果、プロジェクタ１００は、机４００ＢのＩＣタグ２００の上に、非接触で配置されることになる。
【００２４】
次に、ユーザ６００は、設置したプロジェクタ１００に、例えば、テレビチューナ、ビデオプレーヤ、ＤＶＤプレーヤ、ハードディスクプレーヤ、あるいはパーソナルコンピュータなどの画像供給装置（図示せず）を接続する。
【００２５】
続いて、ユーザ６００は、プロジェクタ１００の電源を投入する。すると、ＣＰＵ１０２は、ＲＯＭ１０４に格納されているファームウェアから、起動プログラムを読み出して、ＲＡＭ１０３にロードし、実行する。これにより、ＣＰＵ１０２は、各構成要素を必要に応じて一旦初期化した後、ＲＯＭ１０４に格納されているファームウェアから、リーダプログラムを読み出して、ＲＡＭ１０３にロードする。
【００２６】
続いて、ＣＰＵ１０２が、そのリーダプログラムを実行すると、まず、ＣＰＵ１０２は、トランシーバ１２６を制御し、アンテナ１２４を介して、電波によってＩＣタグ２００にアクセスする。
【００２７】
ＩＣタグ２００では、アンテナ２０４を介して、その電波を受信すると、電磁誘導によって電流が発生する。ＩＣチップ２０２は、発生した電流によって駆動され、内部に記憶されている各種設定パラメータを読み出して、アンテナ２０４を介してプロジェクタ１００に送信する。
【００２８】
プロジェクタ１００では、トランシーバ１２６が、アンテナ１２４を介して、その各種設定パラメータを受信し、ＣＰＵ１０２が、その受信した各種設定パラメータをＲＡＭ１０３の特定の領域に格納する。
【００２９】
次に、ＣＰＵ１０２は、ＲＡＭ１０３から、格納した各種設定パラメータを読み出し、それらに基づいて各種の動作設定を行う。
【００３０】
具体的には、各種設定パラメータとして、主に設置環境に関連して、以下のパラメータが用意されている。
【００３１】
１）スクリーン５００の大きさに関連して→アスペクト比，ズーム比
２）スクリーン５００の色に関連して→スクリーン色補正値
３）スクリーン５００までの距離に関連して→フォーカス
４）スクリーン５００に対する角度に関連して→あおり角度，横キーストーン補正量，縦キーストーン補正量，フット高さ
５）明るさに関連して→光源ランプ電力，絞り，フィルタの要否，輝度
６）色調に関連して→γ補正量，フィルタの要否，色の濃さ，色合い，カラーモード（シアター，リビング，ダイナミック，プレゼンテーションなど）
７）音量に関連して→音声出力値
８）その他→コントラスト，シャープネス，ユーザＩＤ，パスワード
ＣＰＵ１０２は、これらのうち、例えば、あおり角度やキーストーン補正値に応じて、モータ駆動回路１２０を制御して、モータ群１１８のうち、投写レンズ１１６のレンズシフト用モータを駆動し、投写レンズ１１６をシフトして、あおり調整やキーストーン補正を行う。また、フット高さに応じて、モータ駆動回路１２０を制御して、フット高さ調整用モータを駆動し、プロジェクタ１００の下部に設けられたフットの高さの調整を行う。また、フォーカスに応じて、モータ駆動回路１２０を制御して、フォーカス調整用モータを駆動し、投写レンズ１１６のフォーカス調整を行う。また、ズーム比に応じて、モータ駆動回路１２０を制御して、ズーム調整用モータを駆動し、投写レンズ１１６のズーム調整を行う。絞りに応じて、モータ駆動回路１２０を制御して、絞り調整用モータを駆動して、絞り調整を行う。さらに、フィルタの要否に応じて、モータ駆動回路１２０を制御して、フィルタ駆動用モータを駆動し、シネマフィルタ（図示せず）を光路中に入れたり出したりする。なお、その他の設定パラメータについても、その設定パラメータに応じて、対応する動作設定がそれぞれなされる。
【００３２】
なお、ズーム比，フォーカスについては、プロジェクタの機種が異なると、共通に使用することができなくなるため、設定パラメータとして、ズーム比，フォーカス自体を用いる代わりに、スクリーンまでの距離やスクリーンの大きさ（スクリーンサイズ）を用いて、これらのパラメータから、各プロジェクタにおいて、その機種に応じたズーム比やフォーカスを設定するようにしてもよい。あるいは、ＩＣタグ２００のＩＣチップ２０２に、機種ごとのズーム比、フォーカスの情報を持たせ、対応する機種のズーム比、フォーカスの情報からスクリーンの大きさ、フォーカスを合わせるようにしてもよい。また、対応する機種のズーム比、フォーカスなどの情報が無いときは、プロジェクタ１００から、ＩＣタグ２００にデータを書き込むようにしても良い。
【００３３】
以上のようにして、プロジェクタ１００の各種動作設定が完了したら、次に、ＣＰＵ１０２は、画像信号の入力を許可する。すると、画像処理回路１０６は、外部に接続された画像供給装置から画像信号を入力して、種々の画像処理を施して出力し、光変調装置駆動回路１１０は、その出力された画像信号に基づいて光変調装置１０８を駆動する。一方、ＣＰＵ１０２は、ランプ駆動回路１１４を制御して、照明光学系１１２の光源ランプを駆動し、これにより、照明光学系１１２から照明光か照射される。照明光は、駆動された光変調装置１０８によって変調されて、画像光に変換され、投写レンズ１１６は、その画像光を拡大投写して、スクリーン５００上に画像５０２を表示させる。
【００３４】
こうして、ユーザ６００が持ち運び設置したプロジェクタ１００によって、スクリーン５００上に画像５０２を表示することができる。
【００３５】
ところで、プロジェクタ１００では、格納した各種設定パラメータに基づいて、各種の動作設定を行う場合に、プロジェクタ１００の機種によっては、その設定パラメータのうち、いくつかについて動作設定が不可能となる場合がある。そのような場合、プロジェクタ１００は、小型液晶パネルなどを有する場合には、そのパネルに、あるいは、スクリーン５００への投写が可能な場合には、スクリーン５００に、エラーメッセージを表示して、ユーザに知らせるようにしてもよい。例えば、投写範囲をスクリーンサイズまで拡大できない場合には、「設定値まで拡大できません」というエラーメッセージを、投写範囲をスクリーンサイズまで縮小できない場合には、「設定値まで縮小できません」というエラーメッセージを、それぞれ表示するようにする。また、このような表示に代えて、音声でユーザに知らせるようにしてもよいし、あるいは、警告ランプなどを点灯させて、知らせるようにしてもよい。
【００３６】
Ｂ−３．設定パラメータの書き込み：
ところで、前述したように、机４００Ａ，４００Ｂ，４００Ｃおよび４００Ｅに取り付けられたＩＣタグ２００のＩＣチップ２０２には、それぞれ、既に、プロジェクタ１００用として、各設置位置における設置環境に適した各種設定パラメータが記憶されていた。
【００３７】
そこで、次に、このようなＩＣタグ２００のＩＣチップ２０２に、設置環境に適した各種設定パラメータを書き込むための方法について説明する。
【００３８】
このような各種設定パラメータの書き込みは、例えば、図２に示す部屋にスクリーン５００や机４００Ａ〜４００Ｆなどを配置した段階で、少なくとも１回行えばよい。
【００３９】
まず、ユーザ６００は、机４００Ａ，４００Ｂ，４００Ｃおよび４００Ｅのうち、書き込みを行いたいＩＣタグ２００の取り付けられている机に、プロジェクタ１００を設置する。
【００４０】
次に、ユーザ６００は、そのプロジェクタ１００のUSBインターフェイス回路部１２２に、ＵＳＢケーブルを介して、パーソナルコンピュータ（図示せず）を接続する。
【００４１】
続いて、ユーザ６００は、プロジェクタ１００の電源を投入する。すると、ＣＰＵ１０２は、ＲＯＭ１０４に格納されているファームウェアから、起動プログラムを読み出して、ＲＡＭ１０３にロードし、実行する。これにより、ＣＰＵ１０２は、各構成要素を必要に応じて一旦初期化した後、USBインターフェイス回路部１２２にパーソナルコンピュータが接続されていることを検知して、待機状態に入る。
【００４２】
次に、ユーザ６００は、パーソナルコンピュータを操作して、プロジェクタ１００に動作設定処理の開始を指示する。そして、ユーザ６００が、或る設定項目を選択して、その設定パラメータを、パーソナルコンピュータを介してプロジェクタ１００に入力すると、ＣＰＵ１０２は、その設定パラメータをＲＡＭ１０３の特定の領域に格納する。そして、ＣＰＵ１０２は、ＲＡＭ１０３から、格納した設定パラメータを読み出し、それに基づいて、対応する設定項目の動作設定を行う。そして、選択した設定項目について、ユーザ６００が、入力する設定パラメータの値を変えながら、その設置環境に適した状態になるまで、ＣＰＵ１０２は、上記処理を繰り返す。
【００４３】
こうして、１つの設定項目について動作設定が完了したら、その後、ユーザ６００は、順次、設定項目を選択して、全ての設定項目について動作設定が完了するまで、ＣＰＵ１０２は、上記処理を繰り返す。
【００４４】
以上のようにして全ての設定項目について動作設定が完了すると、ＲＡＭ１０３の特定の領域には、その設置環境に適した各種設定パラメータが格納されたことになる。
【００４５】
その後、ユーザ６００が、パーソナルコンピュータを操作して、プロジェクタ１００に、設定パラメータ書き込み処理開始を指示すると、ＣＰＵ１０２は、それに基づいて、ＲＯＭ１０４に格納されているファームウェアから、ライタプログラムを読み出して、ＲＡＭ１０３にロードする。
【００４６】
続いて、ＣＰＵ１０２が、そのライタプログラムを実行すると、ＣＰＵ１０２は、ＲＡＭ１０３から、格納した各種設定パラメータを読み出すと共に、トランシーバ１２６を制御して、読み出した各種設定パラメータをアンテナ１２４を介してＩＣタグ２００に送信する。
【００４７】
ＩＣタグ２００では、アンテナ２０４を介して、各種設定パラメータを受信すると、ＩＣチップ２０２が駆動され、内部に、それら各種設定パラメータを書き込んで記憶する。
【００４８】
このようにして、机４００Ａ，４００Ｂ，４００Ｃおよび４００Ｅに取り付けられたＩＣタグ２００のＩＣチップ２０２に、それぞれ、各々の設置環境に適した各種設定パラメータを書き込むことができる。
【００４９】
Ｃ．実施例の効果：
以上説明したように、本実施例では、ユーザ６００は、プロジェクタ１００を用いる部屋にプロジェクタ１００を持ち運び、机の上に設置位置マーク３００に合うようプロジェクタ１００を設置して、プロジェクタ１００の電源を投入するだけで、その後は、自動的に、ＩＣタグ２００からプロジェクタ１００に、その設置環境に適した各種設定パラメータが取り込まれ、プロジェクタ１００内で、それら設定パラメータに応じた動作設定が行われる。従って、ユーザ６００は、何ら手間や時間をかけることなく、プロジェクタ１００の動作設定を行うことができるので、ユーザ６００の負担を大幅に軽減することができる。しかも、プロジェクタ１００の動作設定は、その設置環境に適した状態になっているため、その後、調整し直す必要はほとんどない。また、ＩＣタグ２００は、周知の通り、非常に小さいため、机に取り付けた場合でも、机の機能を損なうことはない。
【００５０】
Ｄ．変形例：
なお、本発明は上記した実施例や実施形態に限られるものではなく、その要旨を逸脱しない範囲において種々の態様にて実施することが可能である。
【００５１】
上記した実施例では、用いられるＩＣタグ２００の種類については、特に言及しなかったが、一般的に、ＩＣタグとしては、その伝送方式の違いなどによって、下記の通り、様々な種類があり、本発明では、その中で、どのような種類のＩＣタグを用いるようにしてもよい。
【００５２】
例えば、伝送方式が静電結合であるＩＣタグの場合、静電気の誘導作用を利用して通信を行う。また、伝送方式が電磁結合であるＩＣタグの場合には、密に結合した電磁誘導の相互誘導作用を利用して通信を行う。また、伝送方式が電磁誘導であるＩＣタグの場合は、電磁誘導作用を利用して通信を行う。また、伝送方式がマイクロ波であるＩＣタグの場合は、マイクロ波帯の電波を利用して通信を行う。さらに、伝送方式が光のＩＣタグの場合には、光通信を利用して通信を行う。
【００５３】
上記した実施例では、ＩＣタグ２００として、バッテリを必要としないタイプのＩＣタグを用いたが、バッテリを必要とするタイプのＩＣタグを用いるようにしてもよい。
【００５４】
また、上記した実施例では、用いられるＩＣタグ２００の形状について、特に言及しなかったが、円筒型であっても、カード型であってもよく、その形状はどのような形状であっても構わない。
【００５５】
上記した実施例では、ＩＣタグ２００は、プロジェクタ１００の設置される机に取り付けるようにしたが、本発明はこれに限定されるものではなく、プロジェクタ１００の設置が予定されている設置位置の近く、具体的には、設置されたプロジェクタ１００との間で通信が行える範囲内であれば、どこに取り付けるようにしてもよい。
【００５６】
上記した実施例では、プロジェクタ１００の設置が予定されている設置位置に、設置位置マーク３００を付けるようにしたが、多少の設定誤差が許容できるのであれば、このよう設置位置マーク３００を付ける必要はない。
【００５７】
上記した実施例では、設定パラメータとして、各設定項目に対応して、多数のパラメータを用意したが、それら全てを用意する必要はなく、一部であってもよい。
【００５８】
また、設定パラメータとして、設定項目に対応したバラメータではなく、総合的なパラメータを用意してもよい。例えば、プロジェクタ１００の用いられる場所が或る程度限定されている場合には、予め、各場所毎に、その設置環境に適した各種設定パラメータを用意して、それら全てを、場所毎に識別符号を割り当てて、プロジェクタ１００のＲＯＭ１０４などに格納しておき、一方、ＩＣタグ２００には、その場所に対応した識別符号を総合的パラメータとして記憶しておく。そして、プロジェクタ１００が、そのＩＣタグ２００の近傍に設置された場合に、ＩＣタグ２００からその総合的パラメータとして識別符号を読み出して、その識別符号を割り当てた場所に対応する各種設定パラメータを、ＲＯＭ１０４から読み出して、ＲＡＭ１０３に格納するようにしてもよい。
【００５９】
上記した実施例では、ＩＣタグ２００に設定パラメータを書き込む際、USBを利用して、パーソナルコンピュータを１００に接続するようにしていたが、ＬＡＮや、IEEE1394バスや、Bluetoothや、SCSIや、パラレル接続や、シリアル接続や、無線ＬＡＮなどを用いて接続するようにしてもよい。
【００６０】
上記した実施例では、ＩＣタグ２００に設定パラメータを書き込む際、パーソナルコンピュータを利用したが、プロジェクタ１００が操作用パネルなどを備えている場合には、パーソナルコンピュータに代えて、その操作用パネルなどを利用するようにしてもよい。
【００６１】
上記した実施例では、プロジェクタの動作設定を行うようにしたが、プロジェクタに限定されることなく、例えば、ノート型またはモバイル型のコンピュータや携帯情報端末などの環境設定などに応用することも可能である。
【００６２】
さらに、上記した説明では、ＩＣタグ２００は、プロジェクタ１００の設置が予定されている設置位置の近く、具体的には、設置されたプロジェクタ１００との間で通信が行える範囲内に取り付けるものとして説明したが、例えば、ＩＣタグ２００をカード型にしたり、あるいは、カードなど可搬性のある物に取り付けたりして、自由に持ち運べるようにした場合には、次のようにして、プロジェクタ１００の動作設定を行うようにしてもよい。すなわち、予め、そのようなカード型のＩＣタグ２００や、ＩＣタグ２００を取り付けた可搬性のある物を、プロジェクタ１００を用いる部屋に置いておき、ユーザ６００が、持ち運んだプロジェクタ１００を予定とする設置位置に設置した後、その部屋に置いてあるカード型のＩＣタグ２００や、ＩＣタグ２００を取り付けた可搬性のある物を持ってきて、プロジェクタ１００に対し、プロジェクタ１００との間で通信が行える範囲内に近づけることによって、上述したのと同様の動作設定を行わせるようにしてもよい。
【００６３】
上記した説明では、ＩＣタグを例として説明したが、ＩＣタグに代えて、ＩＣカードや、磁気カードや、バーコードなど、他の記憶媒体を用いるようにしてもよい。
【図面の簡単な説明】
【００６４】
【図１】本発明の一実施例としてのプロジェクタ設定システムの構成を示すブロック図である。
【図２】図１のプロジェクタ１００が用いられる或る部屋の様子を、上方から見て概略的に示した説明図である。
【符号の説明】
【００６５】
１００...プロジェクタ
１０２...ＣＰＵ
１０３...ＲＡＭ
１０４...ＲＯＭ
１０６...画像処理回路
１０８...光変調装置
１１０...光変調装置駆動回路
１１２...照明光学系
１１４...ランプ駆動回路
１１６...投写レンズ
１１８...モータ群
１２０...モータ駆動回路
１２２...USBインターフェイス回路部
１２４...アンテナ
１２６...トランシーバ
２００...ＩＣタグ
２０２...ＩＣチップ
２０４...アンテナ
３００...設置位置マーク
４００Ａ〜４００Ｆ...机
５００...スクリーン
５０２...画像
６００...ユーザ
【図１】
2005164930.tif 000003
【図２】
2005164930.tif 000004